(57)【要約】【課題】通信ネットワークの伝送効率を向上させる。【解決手段】第１の伝送装置１０が、第１の方式または前記第１の方式と異なる第２の方式でカプセル化された伝送フレームを第２の伝送装置から受信し、前記受信した前記伝送フレームに前記カプセル化の方式に応じて設定される情報に基づいて、前記伝送フレームのカプセル化の方式を判別し、前記判別結果に基づき、前記受信した前記伝送フレームのカプセル化を解除し、他の伝送フレームを、前記判別したカプセル化の方式でカプセル化して送信する。【選択図】図４
2010130284.tif 000002
【特許請求の範囲】
【請求項１】
第１の伝送装置と第２の伝送装置との間で伝送フレームを送受信しうる伝送システムの通信制御方法であって、
前記第１の伝送装置が、
第１の方式または前記第１の方式と異なる第２の方式でカプセル化された伝送フレームを前記第２の伝送装置から受信し、
前記受信した前記伝送フレームに前記カプセル化の方式に応じて設定される情報に基づいて、前記伝送フレームのカプセル化の方式を判別し、
前記判別結果に基づき、前記受信した前記伝送フレームのカプセル化を解除し、
他の伝送フレームを、前記判別したカプセル化の方式でカプセル化して送信する、
ことを特徴とする、通信制御方法。
【請求項２】
前記他の伝送フレームは、前記第２の伝送装置宛の伝送フレームである、
ことを特徴とする、請求項１記載の通信制御方法。
【請求項３】
前記情報は、
前記伝送フレームのパスオーバヘッドに設定される、
ことを特徴とする、請求項２記載の通信制御方法。
【請求項４】
前記第２の伝送装置宛の伝送フレームに対するカプセル化は、
前記判別から、前記判別した方式に応じた時間の経過後に行なう、
ことを特徴とする、請求項２又は３に記載の通信制御方法。
【請求項５】
前記第２の方式に応じた時間よりも前記第１の方式に応じた時間のほうが大きい、
ことを特徴とする、請求項４記載の通信制御方法。
【請求項６】
前記第１の方式は、Point to Point Protocol（ＰＰＰ）であり、
前記第２の方式は、Generic Framing Procedure（ＧＦＰ）である、
ことを特徴とする、請求項１〜５のいずれか１項記載の通信制御方法。
【請求項７】
第１の伝送装置と第２の伝送装置との間で伝送フレームを送受信しうる前記第１の伝送装置であって、
第１の方式または前記第１の方式と異なる第２の方式でカプセル化された伝送フレームを前記第２の伝送装置から受信する受信部と、
前記受信部で受信した前記伝送フレームに前記カプセル化の方式に応じて設定される情報に基づいて、前記伝送フレームのカプセル化の方式を判別する判別部と、
前記判別部の判別結果に基づき、前記受信部で受信した前記伝送フレームのカプセル化を解除する解除部と、
他の伝送フレームを、前記判別部で判別したカプセル化の方式でカプセル化して送信する送信部と、を有する、
ことを特徴とする、伝送装置。
【請求項８】
前記他の伝送フレームは、前記第２の伝送装置宛の伝送フレームである、
ことを特徴とする、請求項７記載の伝送装置。
【発明の詳細な説明】
【技術分野】
【０００１】
本件は、通信制御方法及び伝送装置に関する。本件は、例えば、データ信号の伝送フォーマットを変換して通信する通信ネットワークに用いられる場合がある。
【背景技術】
【０００２】
Broadband Aspects of Integrated Services Digital Network（Ｂ−ＩＳＤＮ）を実現するための網インタフェースとして、Synchronous Optical NETwork（ＳＯＮＥＴ）〔あるいはSynchronous Digital Hierarchy（ＳＤＨ）とも呼ばれる〕がある。
ＳＯＮＥＴ又はＳＤＨ（以下、ＳＯＮＥＴ／ＳＤＨと称する）方式の通信ネットワークでは、オーバヘッド部とペイロード部とを有するデータフレーム（伝送フレーム）を用いてデータ信号が伝送される。オーバヘッド部は、例えば、ペイロード部に収容されるペイロード（データ本体）の先頭の相対的な位置を示すポインタなどを有する。これにより、上記伝送フレームは、ペイロード部の任意の位置を先頭として、ペイロードを収容することができる。
【０００３】
ＳＯＮＥＴ／ＳＤＨに関する既存の技術としては、通信装置が、対向装置間で確立したリンクを通じて或る間隔内で順次到着するフラグの受信状態を監視して前記リンクが正常か異常かを判定することにより、リンク状態を迅速に判定する方法が知られている。
また、他には、送信パケットのデータを暗号化し、暗号化データを含むデータのカプセル化を行ない、パケットを送出することにより、通信時のホスト間のセキュリティを確保する方法が知られている。
【特許文献１】特開２００４−２０７８７８号公報
【特許文献２】特開平１０−２７１１６７号公報
【発明の開示】
【発明が解決しようとする課題】
【０００４】
上記のようなＳＯＮＥＴ／ＳＤＨ方式の通信ネットワークを介して、ＩＰ（Internet Protocol）網間でＩＰパケットを伝送する通信ネットワークがある。
ＩＰ網では、例えば、可変長のデータフレームを用いた伝送フォーマットでＩＰパケットを伝送するが、ＳＯＮＥＴ／ＳＤＨ方式の通信ネットワークでは、連続バイト列を用いた伝送フォーマットでデータ信号を伝送する。
【０００５】
つまり、ＳＯＮＥＴ／ＳＤＨ方式の通信ネットワークで用いられる伝送フォーマットとＩＰパケットの伝送フォーマットとは異なるため、ＳＯＮＥＴ／ＳＤＨ方式の通信ネットワークではＩＰパケットをそのまま伝送することはできない。
そこで、例えば、ＩＰパケット送信側において、可変長フレームを連続バイト列に変換（カプセル化）して送信する一方、ＩＰパケット受信側において、前記カプセル化を解除してＩＰパケットを取り出す方法がとられる。
【０００６】
しかしながら、カプセル化処理には複数の方式があるため、ＩＰパケット送信側とＩＰパケット受信側とでカプセル化方式の認識が一致していないと、受信側では、受信した伝送データのカプセル化を正常に解除することができない。結果、上記通信ネットワークの伝送効率が低下するおそれがある。
そこで、通信ネットワークの伝送効率を向上させたい。
【課題を解決するための手段】
【０００７】
例えば、以下の手段を用いる。
（１）第１の伝送装置と第２の伝送装置との間で伝送フレームを送受信しうる伝送システムの通信制御方法であって、前記第１の伝送装置が、第１の方式または前記第１の方式と異なる第２の方式でカプセル化された伝送フレームを前記第２の伝送装置から受信し、前記受信した前記伝送フレームに前記カプセル化の方式に応じて設定される情報に基づいて、前記伝送フレームのカプセル化の方式を判別し、前記判別結果に基づき、前記受信した前記伝送フレームのカプセル化を解除し、他の伝送フレームを、前記判別したカプセル化の方式でカプセル化して送信する、通信制御方法を用いることができる。
【０００８】
（２）また、第１の伝送装置と第２の伝送装置との間で伝送フレームを送受信しうる前記第１の伝送装置であって、第１の方式または前記第１の方式と異なる第２の方式でカプセル化された伝送フレームを前記第２の伝送装置から受信する受信部と、前記受信部で受信した前記伝送フレームに前記カプセル化の方式に応じて設定される情報に基づいて、前記伝送フレームのカプセル化の方式を判別する判別部と、前記判別部の判別結果に基づき、前記受信部で受信した前記伝送フレームのカプセル化を解除する解除部と、他の伝送フレームを、前記判別部で判別したカプセル化の方式でカプセル化して送信する送信部と、を有する、伝送装置を用いることができる。
【発明の効果】
【０００９】
通信ネットワークの伝送効率を向上させることが可能となる。
【発明を実施するための最良の形態】
【００１０】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
〔１〕一実施形態
図１は、一実施形態に係る通信ネットワークの構成例を示す図である。
【００１１】
この図１に示す通信ネットワーク１は、例示的に、入口ノード１０Ａと、Generalized Multi-Protocol Label Switching（ＧＭＰＬＳ）ネットワーク２と、出口ノード１０Ｂとをそなえる。入口ノード１０Ａは、例えば、ＩＰパケットの伝送フォーマットを変換し、出口ノード１０Ｂ宛に送信したり、出口ノード１０Ｂからの伝送フレームを受信したりすることができる。また、図１に例示するＧＭＰＬＳネットワーク２は、例えば、ＳＯＮＥＴ／ＳＤＨ方式の通信ネットワークであり、光ファイバで接続された複数の中継ノードを有する。また、ＧＭＰＬＳネットワーク２は、例えば、中継ノード間でのデータの伝送経路（パス）を自律的に設定することができる。図１に示す例では、例えば、入口ノード１０Ａからの伝送フレームは、図１中の太線で示すパスを経由して、出口ノード１０Ｂへ伝送される。出口ノード１０Ｂは、例えば、入口ノード１０Ａから受信した伝送フレームの伝送フォーマットを復元してＩＰパケットを取り出したり、ＩＰパケットの伝送フォーマットを変換して、入口ノード１０Ａ宛に送信したりすることができる。
【００１２】
なお、本例では、パケットの一例としてＩＰパケットを用いて説明するが、データ部に宛先等を含むヘッダ部が付加されたデータをパケットとして用いることもできる。また、本例では、伝送フレームの一例としてＳＯＮＥＴ／ＳＤＨ伝送フレームを用いて説明するが、パケットや制御データなどにヘッダ部が付加されたデータを伝送フレームとして用いることもできる。さらに、以下では、ＳＯＮＥＴ／ＳＤＨ伝送フレームのことを、単にＳＯＮＥＴ伝送フレームともいうことがあるが、ＳＤＨ伝送フレームを伝送フレームとして用いることもできる。また、入口ノード１０Ａ及び出口ノード１０Ｂを区別しない場合は、伝送装置（あるいはノード）１０と総称する。
【００１３】
ここで、上記伝送フォーマットの変換処理について、図２を用いて説明する。
入口ノード１０Ａは、例えば、ＩＰ網（図示省略）から、ＩＰデータ部〔図２（Ａ）中の白抜き部分〕とＩＰヘッダ部〔図２（Ａ）中の黒塗り部分〕とを有するＩＰパケットを受信する〔図２（Ａ）〕。
すると、入口ノード１０Ａは、例えば、ＩＰ網から受信したＩＰパケットに、カプセル化用オーバヘッド〔図２（Ｂ）中の網掛け部分〕を付加するカプセル化処理を行なう〔図２（Ｂ）〕。
【００１４】
このとき、カプセル化処理の方式には、大きく分けて二つの方法がある。一方がPoint-to-Point Protocol（ＰＰＰ）であり、他方がGeneric Framing Procedure（ＧＦＰ）である。
ＰＰＰは、ＲＦＣ１６６１で規定されるプロトコルであり、ＧＦＰは、ＩＴＵ−Ｔ  Ｇ．７０４１で勧告されるプロトコルである。ＧＦＰは、例えば、ＩＰパケットの長さ情報を有する。なお、ＧＦＰを用いたカプセル化のほうが、ＳＯＮＥＴ伝送フレームにＩＰパケットを効率的に収容できる。
【００１５】
本例の入口ノード１０Ａは、上記いずれかの方式を用いて、ＩＰパケットをカプセル化することができる。
入口ノード１０Ａにより、カプセル化されたＩＰパケット（以下、データフレームともいう）は、伝送フレームにマッピングされる。さらに、伝送フレームの先頭にＳＯＮＥＴオーバヘッドが付加され、ＳＯＮＥＴ伝送フレームとして、ＧＭＰＬＳネットワーク２へ送信される〔図２（Ｃ）〕。
【００１６】
入口ノード１０Ａから送信される上記ＳＯＮＥＴ伝送フレームは、ＧＭＰＬＳネットワーク２の所定のパスを介して、出口ノード１０Ｂへ伝送される。
出口ノード１０Ｂは、例えば、ＳＯＮＥＴ伝送フレームからカプセル化されたデータフレームを抽出し、さらに、ネットワーク管理者などに予め設定される、カプセル化解除方式を用いてカプセル化を解除することにより、ＩＰパケットを取り出すことができる。
【００１７】
したがって、出口ノード１０Ｂに設定されるカプセル化解除方式が、入口ノード１０Ａでのカプセル化方式と異なる場合、ＩＰパケットを正常に取り出すことができない。
また、ＩＰパケットの送信側と受信側とが大きく離れている場合、各々のカプセル化方式及びカプセル化解除方式を認識するのは非常に困難である。そのため、ネットワーク構築者が、ＩＰパケットの送信側及び受信側でのカプセル化方式及びカプセル化解除方式を管理、運用することは現実的ではない。
【００１８】
さらに、ＧＭＰＬＳネットワーク２では、パスの接続設定を自律的に行なうことができるが、パスを伝送する信号の疎通を保証することはできない〔図３中（Ａ）〕。
そこで、本例では、出口ノード（第１の伝送装置）１０Ｂが、ＰＰＰまたはＧＦＰでカプセル化された伝送フレームを入口ノード（第２の伝送装置）１０Ａから受信する。そして、カプセル化方式に応じてＳＯＮＥＴ伝送フレームに設定される情報に基づいて、カプセル化方式を判別し、この判別結果に基づき、受信したＳＯＮＥＴ伝送フレームのカプセル化を解除する。さらに、出口ノード１０Ｂは、他のノード（例えば、入口ノード１０Ａ）宛のＳＯＮＥＴ伝送フレームを、前記判別したカプセル化方式でカプセル化して送信する。
【００１９】
これにより、送信側と受信側とでカプセル化方式及びカプセル化解除方式を一致させて、カプセル化を解除できる確率を高めることができる。この結果、通信ネットワークの伝送効率を向上させることが可能となる。
また、例えば、ネットワーク管理者は、送信側及び受信側でカプセル化方式及びカプセル化解除方式を管理、設定しなくてもよいので、通信ネットワークでの信号疎通までの手順を簡略化でき、通信ネットワークの運用負荷を軽減することが可能となる。
【００２０】
（１．１）伝送装置１０
図４は一実施形態に係る伝送装置１０の構成の一例を示すブロック図である。この図４に示す伝送装置１０は、例示的に、ＳＯＮＥＴ信号受信部１１と、判別部１２と、制御部１３と、カプセル化解除部１４と、ＩＰフレーム送信部１５とをそなえる。さらに、伝送装置１０は、例示的に、ＩＰフレーム受信部１６と、カプセル化処理部１７と、ＳＯＮＥＴ信号送信部１８とをそなえる。
【００２１】
ここで、ＳＯＮＥＴ信号受信部１１は、送信側１０Ａ（または１０Ｂ）からＳＯＮＥＴ伝送フレームを受信する。また、例えば、受信したＳＯＮＥＴ伝送フレームから、カプセル化されたデータフレームを抽出することもできる。
即ち、本例のＳＯＮＥＴ信号受信部１１は、ＰＰＰまたはＧＦＰでカプセル化されたデータフレームを送信側１０Ａ（または１０Ｂ）から受信する受信部の一例として機能する。
【００２２】
判別部１２は、ＳＯＮＥＴ伝送フレームに設定されるＳＯＮＥＴオーバヘッド内の情報に基づいて、上記データフレームのカプセル化方式を判別する。
ここで、ＳＯＮＥＴ伝送フレーム内のＳＯＮＥＴオーバヘッドについて図５を用いて説明する。図５に例示するように、ＳＯＮＥＴオーバヘッドは、セクションオーバヘッドと、ポインタと、ラインオーバヘッドとを有する。セクションオーバヘッド領域は、例えば、伝送区間（セクション）の状態管理や保守のためのオペレーション情報を格納する。ポインタは、ペイロード部に収容されるペイロード（データ本体）の先頭の相対的な位置を示す情報である。ラインオーバヘッドは、ＳＯＮＥＴで用いられるTransport OverHead（ＴＯＨ）の一種である。
【００２３】
また、ＳＯＮＥＴオーバヘッドは、Synchronous Transport Signal - Path OverHead（ＳＴＳ−ＰＯＨ）と、Virtual Tributary - Path OverHead（ＶＴ−ＰＯＨ）とを有する。本例の判別部１２は、例えば、ＳＴＳ−ＰＯＨに格納されるＣ２バイトの値や、ＶＴ−ＰＯＨに格納されるＺ７バイトの値などに基づき、カプセル化方式を判別することができる。なお、Ｃ２バイトはSTS Path Signal Labelを、Ｖ５バイトはVT Path Signal Labelを、Ｚ７バイトはExtended VT Path Signal Labelをそれぞれ意味する。
【００２４】
図６に例示するように、例えば、ＳＯＮＥＴ伝送フレームを受信したパス（受信パス）がＳＴＳパスである場合、データフレームのカプセル化方式がＰＰＰであれば、ＳＴＳ−ＰＯＨのＣ２バイトには「０ｘ１６」が設定されている。また、データフレームのカプセル化方式がＧＦＰであれば、ＳＴＳ−ＰＯＨのＣ２バイトには「０ｘ１Ｂ」が設定されている。
【００２５】
一方、ＳＯＮＥＴ伝送フレームを受信したパス（受信パス）がＶＴパスである場合、データフレームのカプセル化方式がＰＰＰであれば、ＶＴ−ＰＯＨのＺ７バイトには「０ｘ０Ａ」が設定されている。また、データフレームのカプセル化方式がＧＦＰであれば、ＳＴＳ−ＰＯＨのＣ２バイトには「０ｘ０Ｄ」が設定されている。なお、これらの設定値は、北米規格のTelcordia  GR-253-COREにて規定されている。
【００２６】
これにより、本例の判別部１２は、ＳＯＮＥＴ伝送フレームのＳＯＮＥＴオーバヘッドに設定される、Ｃ２バイト値またはＺ７バイト値に基づいて、データフレームのカプセル化方式を判別することができる。
制御部１３は、判別部１２での判別結果に基づいて、カプセル化解除部１４及びカプセル化処理部１７を制御する。例えば、判別部１２での判別結果が、制御部１３でそれまで行なっていたカプセル化及びカプセル化解除の方式と異なる場合、カプセル化及びカプセル化解除方式が変更される。
【００２７】
また、本例の制御部１３は、所定のタイマ機能を具備し、カプセル化処理部１７でのカプセル化方式の変更を、上記判別部１２での判別結果に応じた時間の経過後に行なうこともできる。このときの時間設定は、上記判別結果がＧＦＰである場合よりも、ＰＰＰである場合のほうを大きくすることができる。例えば、上記判別結果がＰＰＰである場合は、判別してから１０秒後にカプセル化処理部１７でのカプセル化方式を変更する一方、上記判別結果がＧＦＰである場合は、判別してから５秒後にカプセル化処理部１７でのカプセル化方式を変更するようにしてもよい。このようにすることで、伝送装置１０と対向するもう１つの伝送装置１０との間でＳＯＮＥＴ伝送フレームの通信を行なう場合、カプセル化方式を一方の方式に収束させることが可能となる。通常、ＰＰＰよりもＧＦＰのほうがデータ伝送効率がよいので、カプセル化方式をＧＦＰに統一させるべく、上記判別結果がＧＦＰである場合のタイマ設定値よりも、ＰＰＰである場合のタイマ設定値を大きくする。なお、上記タイマは、ＳＯＮＥＴ信号受信部１１でのＳＯＮＥＴ伝送フレームの受信を契機として時間計測を開始するようにしてもよい。この場合は、伝送装置１０内の伝送遅延と、制御部１３によるカプセル化方式の切り替えに要する時間とを考慮したタイマ設定値を用いることができる。
【００２８】
カプセル化解除部１４は、制御部１３で設定されるカプセル化解除方式を用いて受信データフレームのカプセル化を解除する。そして、データフレームのカプセル化を解除して取り出したＩＰパケット（ＩＰフレーム）をＩＰフレーム送信部１５へ送出する。
即ち、本例のカプセル化解除部１４は、上記判別部１２の判別結果に基づき、ＳＯＮＥＴ伝送フレームのカプセル化を解除する解除部の一例として機能する。
【００２９】
ＩＰフレーム送信部１５は、カプセル化解除部１４にて抽出されたＩＰフレームをＩＰ網（図示省略）に対して送信する。
ＩＰフレーム受信部１６は、ＩＰ網からＩＰフレームを受信する。受信されたＩＰフレームは、カプセル化処理部１７へ送出される。
カプセル化処理部１７は、制御部１３で設定されるカプセル化方式を用いて、ＩＰフレーム受信部１６から受けたＩＰフレームに所定のカプセル化用オーバヘッドを付加してカプセル化処理を実施する。カプセル化されたデータフレームは、ＳＯＮＥＴ信号送信部１８へ送出される。
【００３０】
ＳＯＮＥＴ信号送信部１８は、カプセル化処理部１７から受けたデータフレームを伝送フレームにマッピングし、さらに、ＳＯＮＥＴオーバヘッドを付加して、ＳＯＮＥＴ伝送フレームを生成する。このとき、付加されるＳＯＮＥＴオーバヘッドには、カプセル化処理部１７でのカプセル化方式に応じた情報（Ｃ２バイト値またはＺ７バイト値）が設定される。そして、ＳＯＮＥＴ信号送信部１８により生成されたＳＯＮＥＴ伝送フレームは、例えば、送信側１０Ａ（または１０Ｂ）へ送信される。
即ち、本例のＳＯＮＥＴ信号送信部１８は、他のノード（例えば、相手側ノード１０Ａ（または１０Ｂ））宛の伝送フレームを、上記判別部１２で判別したカプセル化の方式でカプセル化して送信する送信部の一例として機能する。
【００３１】
（１．２）伝送装置１０の動作例
ここで、上記伝送装置１０の動作の一例について図７を用いて説明する。
まず、図７に例示するように、ＳＯＮＥＴ信号受信部１１により、対向局１０Ａ（または１０Ｂ）から送信されたＳＯＮＥＴ伝送フレームを受信する（ステップＳ１）。
そして、判別部１２が、ＳＯＮＥＴ伝送フレームのＳＯＮＥＴオーバヘッドに設定されるＣ２バイトまたはＺ７バイトの値に基づいて、受信データフレームのカプセル化方式を取得（判別）する（ステップＳ２）。
【００３２】
制御部１３は、伝送装置１０で現在用いられているカプセル化方式及びカプセル化解除方式を読み出す（ステップＳ３）。そして、制御部１３は、読み出したカプセル化方式及びカプセル化解除方式と、ステップＳ２で取得したカプセル化方式とが等しいかどうかを判定する（ステップＳ４）。
ステップＳ３で読み出した方式と、ステップＳ２で取得した方式とが等しいと判定された場合（ステップＳ４のＹｅｓルート）、制御部１３は、それまでどおりの方式でカプセル化及びカプセル化解除を実施する（ステップＳ５）。つまり、この場合は、自局１０と相手側１０Ａ（または１０Ｂ）とでカプセル化方式が一致している場合に相当するので、カプセル化方式を変更しなくてもよい。
【００３３】
この場合の動作例を図８に例示する。
例えば、自局１０及び対向局１０Ａ（１０Ｂ）でのカプセル化方式がＧＦＰで一致している場合、自局１０及び対向局１０Ａ（１０Ｂ）により、ＧＦＰでカプセル化されたＳＯＮＥＴ伝送フレームが互いに送信される（ステップＳ２１及びＳ３１）。
自局１０及び対向局１０Ａ（１０Ｂ）は、それぞれ、ＧＦＰでカプセル化されたＳＯＮＥＴ伝送フレームを相手側から受信して（ステップＳ２２及びＳ３２）、ＳＯＮＥＴオーバヘッドの情報に基づき、受信データフレームのカプセル化方式を判別する。
【００３４】
次に、自局１０及び対向局１０Ａ（１０Ｂ）は、判別した受信データフレームのカプセル化方式と、制御部１３にそれまで設定されていたカプセル化方式とが同じかどうかを判定する。
図８に示す例では、自局１０及び対向局１０Ａ（１０Ｂ）において、受信データフレームのカプセル化方式と、制御部１３にそれまで設定されていたカプセル化方式とが同値のため、カプセル化方式を変更しない（追従動作を行なわない）（ステップＳ２３及びＳ３３）。
【００３５】
図７に戻り、ステップＳ３で読み出した方式と、ステップＳ２で取得した方式とが異なると判定された場合（ステップＳ４のＮｏルート）、制御部１３は、カプセル化方式及びカプセル化解除方式を変更する。つまり、この場合は、自局１０と相手側１０Ａ（または１０Ｂ）とでカプセル化方式が一致していない場合に相当するので、カプセル化方式を変更する（追従動作を実施する）。
【００３６】
ただ、例えば、自局１０と対向局１０Ａ（または１０Ｂ）との双方が、受信したＳＯＮＥＴ伝送フレームのカプセル化方式に応じてカプセル化方式をそれぞれ変更することがある。このような場合には、ＳＯＮＥＴ伝送フレームが受信される毎に、カプセル化方式が変更され、自局１０と対向局１０Ａ（または１０Ｂ）との間でカプセル化方式が収束しない場合がある。
【００３７】
そこで、以下に示すように、例えば、効率的にカプセル化方式を収束させる動作を実施するようにしてもよい。なお、以下では、ＰＰＰに比して伝送効率のよいＧＦＰにカプセル化方式を収束させる。
ステップＳ３で読み出した方式と、ステップＳ２で取得した方式とが異なると判定されると（ステップＳ４のＮｏルート）、制御部１３は、受信したＳＯＮＥＴ伝送フレームのカプセル化方式がＧＦＰかどうかを判定する（ステップＳ６）。
【００３８】
受信したＳＯＮＥＴ伝送フレームのカプセル化方式がＧＦＰであると判定されると（ステップＳ６のＹｅｓルート）、制御部１３は、上述のタイマ機能により、ステップＳ６での判定から５秒待機する（ステップＳ７）。そして、その間継続してＧＦＰ方式でカプセル化されたデータフレームを受信した場合は、カプセル化方式をＧＦＰに変更する（ステップＳ８）。なお、計時中にＰＰＰ方式でカプセル化されたデータフレームを受信した場合は、タイマをリセットして、ステップＳ１に処理を戻してもよい。
【００３９】
一方、受信したＳＯＮＥＴ伝送フレームのカプセル化方式がＧＦＰでない（即ち、ＰＰＰである）と判定されると（ステップＳ６のＮｏルート）、制御部１３は、上記タイマ機能により、ステップＳ６での判定から１０秒待機する（ステップＳ９）。そして、制御部１３は、１０秒経過後（あるいは、タイマ計測中）に受信したＳＯＮＥＴ伝送フレームのカプセル化方式がＧＦＰであるかどうかを判定する（ステップＳ１０）。
【００４０】
１０秒経過後（あるいは、タイマ計測中）に受信したＳＯＮＥＴ伝送フレームのカプセル化方式がＧＦＰであると判定された場合は（ステップＳ１０のＹｅｓルート）、制御部１３により、タイマ計測がリセットされる（ステップＳ１１）。
一方、１０秒経過後（あるいは、タイマ計測中）に受信したＳＯＮＥＴ伝送フレームのカプセル化方式がＰＰＰであると判定された場合は（ステップＳ１０のＮｏルート）、制御部１３により、カプセル化方式がＰＰＰに変更される（ステップＳ１２）。
【００４１】
以上のように、受信したＳＯＮＥＴ伝送フレームのカプセル化方式に応じて、カプセル化方式の変更までに時間差を設けることにより、自局１０でのカプセル化方式の変更を相手側１０Ａ（または１０Ｂ）に知らせることが可能となる。結果、カプセル化方式を収束させることが可能となる。また、受信データフレームのカプセル化方式がＧＦＰである場合のタイマ設定値よりも、受信データフレームのカプセル化方式がＰＰＰである場合のタイマ設定値を大きくすることにより、カプセル化方式をＧＦＰに収束させることができる。
【００４２】
この場合の動作例を図９に例示する。
例えば、自局１０でのカプセル化方式の設定値がＰＰＰであり、対向局１０Ａ（１０Ｂ）でのカプセル化方式の設定値がＧＦＰである場合、自局１０は、ＰＰＰでカプセル化したＳＯＮＥＴ伝送フレームを対向局１０Ａ（１０Ｂ）宛に送信する（ステップＳ４１）。一方、対向局１０Ａ（１０Ｂ）は、ＧＦＰでカプセル化したＳＯＮＥＴ伝送フレームを自局１０宛に送信する（ステップＳ５１）。
【００４３】
このため、自局１０側では、ＧＦＰでカプセル化されたＳＯＮＥＴ伝送フレームが受信される（ステップＳ４２）が、対向局１０Ａ（１０Ｂ）側では、ＰＰＰでカプセル化されたＳＯＮＥＴ伝送フレームが受信される（ステップＳ５２）。
そして、自局１０及び対向局１０Ａ（１０Ｂ）は、それぞれ、受信したＳＯＮＥＴ伝送フレームのＳＯＮＥＴオーバヘッドの情報（Ｃ２バイト値またはＺ７バイト値）に基づき、受信データフレームのカプセル化方式を判別する。
【００４４】
このとき、自局１０側では、受信データフレームのカプセル化方式がＧＦＰであると判別され、かつ、制御部１３のそれまでのカプセル化方式の設定値と異なると判定される。このため、自局１０側の制御部１３は、例えば、上記判別時から５秒待機する（ステップＳ４３）。
一方、対向局１０Ａ（１０Ｂ）側では、受信データフレームのカプセル化方式がＰＰＰであると判別され、かつ、制御部１３のそれまでのカプセル化方式の設定値と異なると判定される。このため、対向局１０Ａ（１０Ｂ）側の制御部１３は、例えば、上記判別時から１０秒待機する（ステップＳ５３）。
【００４５】
やがて、５秒が先に経過すると、自局１０は、制御部１３の設定値をそれまでのＰＰＰからＧＦＰへ変更する（ステップＳ４４）。
これにより、自局１０側からは、ＧＦＰでカプセル化されたＳＯＮＥＴ伝送フレームが、対向局１０Ａ（１０Ｂ）側へ送信される（ステップＳ４５）。
すると、対向局１０Ａ（１０Ｂ）は、自局１０側からＧＦＰでカプセル化されたＳＯＮＥＴ伝送フレームを受信し（ステップＳ５４）、受信したＳＯＮＥＴ伝送フレームのＳＯＮＥＴオーバヘッドの情報に基づき、受信データフレームのカプセル化方式を判別する。
【００４６】
このとき、対向局１０Ａ（１０Ｂ）側では、受信データフレームのカプセル化方式がＧＦＰであると判別され、かつ、制御部１３のそれまでのカプセル化方式の設定値と一致すると判定される。このため、対向局１０Ａ（１０Ｂ）側の制御部１３は、カプセル化方式を変更しない（追従動作を行なわない）（ステップＳ５５）。そして、対向局１０Ａ（１０Ｂ）側の制御部１３は、タイマ計測をリセットして処理を終了する（ステップＳ５６）。
【００４７】
このように、受信したＳＯＮＥＴ伝送フレームのカプセル化方式に応じて、カプセル化方式の変更までに時間差を設けることにより、カプセル化方式をより伝送効率の高いＧＦＰに収束させることが可能となる。
以上のように、本例の通信制御方法により、送信側と受信側とでカプセル化方式及びカプセル化解除方式を一致させて、カプセル化を解除できる確率を高めることができる。結果、通信ネットワークの伝送効率を向上させることが可能となる。
さらに、例えば、ネットワーク管理者は、送信側及び受信側でカプセル化方式及びカプセル化解除方式を管理、設定しなくてもよいので、通信ネットワークでの信号疎通までの手順を簡略化でき、通信ネットワークの運用負荷を軽減することが可能となる。
〔２〕変形例
上記の伝送装置１０では、制御部１３により、カプセル化処理部１７でのカプセル化方式と、カプセル化解除部１４でのカプセル化解除方式とを連動（共通）して制御（変更）した。一方、本例の伝送装置２０では、カプセル化処理部２８でのカプセル化方式と、カプセル化解除部２４でのカプセル化解除方式とを個別に制御することができる。
【００４８】
図１０は、本例に係る伝送装置２０の構成の一例を示すブロック図である。この図１０に示す伝送装置２０は、例示的に、ＳＯＮＥＴ信号受信部２１と、判別部２２と、カプセル化解除制御部２３と、カプセル化解除部２４と、ＩＰフレーム送信部２５とをそなえる。さらに、伝送装置２０は、例示的に、ＩＰフレーム受信部２６と、カプセル化制御部２７と、カプセル化処理部２８と、ＳＯＮＥＴ信号送信部２９とをそなえる。
【００４９】
ここで、ＳＯＮＥＴ信号受信部２１，判別部２２，カプセル化解除部２４及びＩＰフレーム送信部２５は、上述したＳＯＮＥＴ信号受信部１１，判別部１２，カプセル化解除部１４及びＩＰフレーム送信部１５と同様の機能を有する。また、ＩＰフレーム受信部２６，カプセル化処理部２８及びＳＯＮＥＴ信号送信部２９は、上述したＩＰフレーム受信部１６，カプセル化処理部１７及びＳＯＮＥＴ信号送信部１８と同様の機能を有する。
【００５０】
ここで、カプセル化解除制御部２３は、判別部２２での判別結果に基づいて、カプセル化解除部２４を制御する。例えば、判別部２２での判別結果が、カプセル化解除制御部２３でそれまで行なっていたカプセル化解除の方式と異なる場合、カプセル化解除部２４のカプセル化解除方式を変更する。
カプセル化制御部２７は、ネットワーク管理者などが予め設定したカプセル化方式に基づいて、カプセル化処理部２８を制御する。例えば、ＰＰＰ方式が設定された場合は、カプセル化処理部２８がＰＰＰ方式でカプセル化を行なうよう制御することができる。一方、ＧＦＰ方式が設定された場合は、カプセル化処理部２８がＧＦＰ方式でカプセル化を行なうよう制御することができる。
ここで、上記伝送装置２０の動作の一例について図１１を用いて説明する。
まず、図１１に例示するように、ＳＯＮＥＴ信号受信部２１により、対向局から送信されたＳＯＮＥＴ伝送フレームを受信する（ステップＳ６１）。
【００５１】
そして、判別部２２により、ＳＯＮＥＴ伝送フレームのＳＯＮＥＴオーバヘッドに設定されるＣ２バイトまたはＺ７バイトの値に基づいて、受信データフレームのカプセル化方式を取得（判別）する（ステップＳ６２）。
カプセル化解除制御部２３は、伝送装置２０で現在用いられているカプセル化解除方式を読み出す（ステップＳ６３）。そして、カプセル化解除制御部２３により、読み出したカプセル化解除方式と、ステップＳ６２で取得したカプセル化方式とが等しいかどうかを判定する（ステップＳ６４）。
【００５２】
ステップＳ６３で読み出した方式と、ステップＳ６２で取得した方式とが等しいと判定された場合（ステップＳ６４のＹｅｓルート）、カプセル化解除制御部２３は、それまでどおりの方式でカプセル化解除を実施する（ステップＳ６５）。つまり、この場合は、自局２０と相手側（対向局）とでカプセル化方式が一致しているので、カプセル化方式を変更しなくてもよい。
【００５３】
一方、ステップＳ６３で読み出した方式と、ステップＳ６２で取得した方式とが異なると判定された場合（ステップＳ６４のＮｏルート）、カプセル化解除制御部２３は、カプセル化解除方式を変更する。つまり、この場合は、自局２０と相手側（対向局）とでカプセル化方式が一致していないので、カプセル化解除方式をステップＳ６２で取得した方式に変更（設定）する（ステップＳ６６）。
【００５４】
そして、カプセル化解除部２４は、受信したＳＯＮＥＴ伝送フレームについて、ステップＳ６６にて変更したカプセル化方式でカプセル化を解除する（ステップＳ６５）。
以上のように、本例の伝送装置２０は、カプセル化解除方式と、カプセル化方式とを個別に制御することができ、伝送装置２０のカプセル化解除処理及びカプセル化処理をより柔軟に制御することができる。例えば、カプセル化処理部２８に、ＧＦＰによるカプセル化処理を実施させる一方で、カプセル化解除部２４では、受信ＳＯＮＥＴ伝送フレームのカプセル化方式に応じて柔軟にカプセル化解除方式を変更して対応することが可能になる。また、通信ネットワーク全体でのカプセル化方式を容易に収束（一方に統一）することが可能となる。
【００５５】
〔３〕その他
なお、上述した伝送装置１０，２０の各構成及び各処理は、必要に応じて取捨選択してもよいし、適宜組み合わせてもよい。
また、入口ノード１０Ａ及び出口ノード１０Ｂの少なくとも一方が、上記伝送装置１０，２０のいずれかの構成及び処理を有していればよい。
【００５６】
さらに、上記の例では、伝送装置１０，２０間に介在するネットワークがＧＭＰＬＳネットワークであったが、これに限定されず、例えば、Multi Protocol Label Switch（ＭＰＬＳ）ネットワークなどであってもよい。
また、上記の例では、カプセル化方式として、ＰＰＰまたはＧＦＰを用いたが、他のカプセル化方式を用いてもよい。例えば、インターネットカプセル化プロトコル、Generic Routing Encapsulation（ＧＲＥ）カプセル化技術、ＩＰｉｎＩＰトンネリング技術、High-level Data Link Control（ＨＤＬＣ）によるカプセル化などを用いてもよく、この場合は、伝送されるデータフレームにカプセル化方式を識別しうる情報を含んでいればよい。
【００５７】
以上の実施形態に関し、さらに以下の付記を開示する。
〔４〕付記
（付記１）
第１の伝送装置と第２の伝送装置との間で伝送フレームを送受信しうる伝送システムの通信制御方法であって、
前記第１の伝送装置が、
第１の方式または前記第１の方式と異なる第２の方式でカプセル化された伝送フレームを前記第２の伝送装置から受信し、
前記受信した前記伝送フレームに前記カプセル化の方式に応じて設定される情報に基づいて、前記伝送フレームのカプセル化の方式を判別し、
前記判別結果に基づき、前記受信した前記伝送フレームのカプセル化を解除し、
他の伝送フレームを、前記判別したカプセル化の方式でカプセル化して送信する、
ことを特徴とする、通信制御方法。
【００５８】
（付記２）
前記他の伝送フレームは、前記第２の伝送装置宛の伝送フレームである、
ことを特徴とする、付記１記載の通信制御方法。
（付記３）
前記情報は、
前記伝送フレームのパスオーバヘッドに設定される、
ことを特徴とする、付記２記載の通信制御方法。
【００５９】
（付記４）
前記第２の伝送装置宛の伝送フレームに対するカプセル化は、
前記判別から、前記判別した方式に応じた時間の経過後に行なう、
ことを特徴とする、付記２又は付記３に記載の通信制御方法。
（付記５）
前記第２の方式に応じた時間よりも前記第１の方式に応じた時間のほうが大きい、
ことを特徴とする、付記４記載の通信制御方法。
【００６０】
（付記６）
前記第１の方式は、Point to Point Protocol（ＰＰＰ）であり、
前記第２の方式は、Generic Framing Procedure（ＧＦＰ）である、
ことを特徴とする、付記１〜５のいずれか１項記載の通信制御方法。
（付記７）
第１の伝送装置と第２の伝送装置との間で伝送フレームを送受信しうる前記第１の伝送装置であって、
第１の方式または前記第１の方式と異なる第２の方式でカプセル化された伝送フレームを前記第２の伝送装置から受信する受信部と、
前記受信部で受信した前記伝送フレームに前記カプセル化の方式に応じて設定される情報に基づいて、前記伝送フレームのカプセル化の方式を判別する判別部と、
前記判別部の判別結果に基づき、前記受信部で受信した前記伝送フレームのカプセル化を解除する解除部と、
他の伝送フレームを、前記判別部で判別したカプセル化の方式でカプセル化して送信する送信部と、を有する、
ことを特徴とする、伝送装置。
【００６１】
（付記８）
前記他の伝送フレームは、前記第２の伝送装置宛の伝送フレームである、
ことを特徴とする、付記７記載の伝送装置。
（付記９）
前記情報は、
前記伝送フレームのパスオーバヘッドに設定される、
ことを特徴とする、付記８記載の伝送装置。
【００６２】
（付記１０）
前記第２の伝送装置宛の伝送フレームに対するカプセル化は、
前記判別部による判別から、前記判別した方式に応じた時間の経過後に行なう、
ことを特徴とする、付記８又は付記９に記載の伝送装置。
（付記１１）
前記第２の方式に応じた時間よりも前記第１の方式に応じた時間のほうが大きい、
ことを特徴とする、付記１０記載の伝送装置。
【００６３】
（付記１２）
前記第１の方式は、Point to Point Protocol（ＰＰＰ）であり、
前記第２の方式は、Generic Framing Procedure（ＧＦＰ）である、
ことを特徴とする、付記７〜１１のいずれか１項記載の伝送装置。
【図面の簡単な説明】
【００６４】
【図１】一実施形態に係る通信ネットワークの構成の一例を示す図である。
【図２】伝送フォーマットの変換処理の一例を示す図である。
【図３】カプセル化の解除を実施できない場合の通信処理の一例を示す図である。
【図４】図１に示す伝送装置の構成の一例を示すブロック図である。
【図５】ＳＯＮＥＴオーバヘッドの一例を示す図である。
【図６】Ｃ２バイトまたはＺ７バイトとカプセル化方式の対応関係を示す図である。
【図７】図４に示す伝送装置の動作の一例を示すフローチャートである。
【図８】図４に示す伝送装置間の通信動作の一例を示すフローチャートである。
【図９】図４に示す伝送装置間の通信動作の一例を示すフローチャートである。
【図１０】変形例に係る伝送装置の構成例を示すブロック図である。
【図１１】図１０に示す伝送装置の動作の一例を示すフローチャートである。
【符号の説明】
【００６５】
１０  伝送装置
１１  ＳＯＮＥＴ信号受信部
１２  判別部
１３  制御部
１４  カプセル化解除部
１５  ＩＰフレーム送信部
１６  ＩＰフレーム受信部
１７  カプセル化処理部
１８  ＳＯＮＥＴ信号送信部
２０  伝送装置
２１  ＳＯＮＥＴ信号受信部
２２  判別部
２３  カプセル化解除制御部
２４  カプセル化解除部
２５  ＩＰフレーム送信部
２６  ＩＰフレーム受信部
２７  カプセル化制御部
２８  カプセル化処理部
２９  ＳＯＮＥＴ信号送信部
【図１】
2010130284.tif 000003
【図２】
2010130284.tif 000004
【図３】
2010130284.tif 000005
【図４】
2010130284.tif 000006
【図５】
2010130284.tif 000007
【図６】
2010130284.tif 000008
【図７】
2010130284.tif 000009
【図８】
2010130284.tif 000010
【図９】
2010130284.tif 000011
【図１０】
2010130284.tif 000012
【図１１】
2010130284.tif 000013